(57)【要約】      （修正有）【課題】シャツの袖口や襟のトップボタンのボタンを外したときの袖や襟の開口状態を調節、固定し、必要によっては装飾効果を与える器具を提供する。【解決手段】取り外し可能な留め具、鎖、取り外し可能な飾りボタンよりなる。【効果】シャツの袖や襟のボタンを外したとき、暑さ寒さに応じ袖や襟の開閉を調節、安定化することが出来る。材料の選択により装飾効果も得られる。【選択図】図１
0003127949.tif 000002
【実用新案登録請求の範囲】
【請求項１】
長袖シャツのボタンを外したときの袖口の開き度の固定と安定化のために、ボタンホール部に取り外し可能な固定式飾りボタンを付ける、一方、相対するボタン部分には取り外し可能な固定具を係合し、この固定具と先の固定式飾りボタンを鎖状のものでつなぎ、袖口の開き度を固定し、安定化することを特徴とするシャツ袖の安定具。
【請求項２】
シャツの第一ボタンを外した状態における両襟の、着用時の開口度の安定化のために、ボタンホール部に取り外し可能な固定式飾りボタンを付ける、一方、相対する外された状態のボタンには取り外し可能な固定具を係合し、この固定具と先の固定式飾りボタンを鎖状のものでつなぎ、開襟の角度を固定し安定化することを特徴とするシャツ襟の安定具。
【考案の詳細な説明】
【考案の詳細な説明】
【産業上の利用分野】
【０００１】  本考案は、長袖シャツ着用時の袖口のボタンを外した状態における、両袖の開口度を一定度合いに保ち、袖口の通気性を安定的に確保することによって、着用性を改良するものであり、更に袖口の美的効果も向上するものである。
【背景技術】
【０００２】  本考案と類似の技術は過去に存在しない。
シャツの袖口のボタンを填める代わりにカフスボタンを填める方法があり、コンバーティブルカフス、ダブルカフス、テニスカフスの３種類がある。それぞれカフスボタンのレバーを通すための穴が袖口にあいている必要がある。これらはあくまでもボタンの代替と装飾効果を与える目的のものであり本考案の思想とは全然異なるものである。
【本考案が解決しようとする課題】
【０００３】  長袖シャツの袖口のボタンをはめた状態では、手首部分の袖口の空気の流通性が悪く、部屋の温度が上がった場合や運動した場合には腕いっぱいに熱がこもり苦痛を感じる。併しボタンを外したままであるとだらしなく見えて問題である。
夏季には、クールビズの敷衍により公式の場所でも長袖シャツのみで出席する場合が増えてきている。併し部屋が暑い時でも袖のボタンを外したままとか、捲ることが出来ず我慢をせねばならない場合が多い。
カフスボタンを付けている場合には、普通のボタンを填めている時より以上に袖口の通気度合いが悪く腕部分が蒸れやすい。左腕には時計を填めているから、空気の流通が悪くなり更に蒸れてくる。
本考案はこれらの問題を軽減して、比較的快適に過ごすために考えられた。
【課題を解決するための手段】
【０００４】  本考案は上記の課題を解決するために考案されたものである。即ち、長袖の袖口のボタンを外した状態において、ボタンホールに取り外し可能な飾りボタンを差込み固定する、一方相対するボタン部分には取り外し可能な留め具を係合させる、そしてこの留め具と先述の固定式飾りボタンに適当な長さの鎖の両端を繋ぐ。これによって袖口の開き具合が固定されることになる。鎖を長くすれば袖口は開き、短くすれば狭くなる、袖口を開けば涼しくなるが、その具合をどの程度にするかは個人の好みによって選択できる。
かくして本考案の方法により、袖口のボタンを外した状態における開角度を鎖の長さにより調節出来るので、腕に外気が入りやすくなる状態をコントロールし維持できる。又外部から見ても袖口が乱れた状態には見られ無い特徴がある。
シャツのトップボタンの場合にも、ボタンを外したときに、外気の寒暖に応じて襟の開口度を変化させるためには、袖口の場合と同じくボタンホール部分に取り外し可能な固定式飾りボタンをつけ、一方の外されたボタンには取り外し可能な留め具を係合させる、そして此の留め具と先の取り外し可能な固定式飾りボタンを鎖で繋ぐ、その鎖の長短を選ぶ事により上の目的を達成させることができる。
【０００５】  上記の取り外し可能な飾りボタンについて説明すると、先ずこの飾りボタンはボタンホールに使用中安定的に留まっている機能が必要である。又取り付け、取り外しが容易であること、比較的軽量であることなどの機能が必要である。
【０００６】  取り外し可能な飾りボタンは、イヤリング等に使われる金属製の板バネ式固定具がそのまま使われる。又ネクタイピンに使われる弾力性のある長方形の金属板を２重に折り曲げて布を挟み込む性質のあるもの、又は図１の（３）に示した如く、ボタンの大きさの薄い円盤とボタンホールより小さい径の薄い円盤を１〜２ミリの間隔を空けて円盤の中心部で連結したダブルフランジ型ボタンのような方式の固定具等がある。
勿論、従来広くカフスボタンに使われている、ピボットアンカー式や牡雌型ホック式カフスボタン等は少し改良すれば、そのまま本考案の固定用飾りボタンとして利用できる。ボタンホールに安定的に係止して鎖を保持する機能のあるものならどんな形態のものでも材料として使える。
【０００７】  鎖はネクタイピンに使われているような、細い金属線の環を連結したものが好ましく使われる。あまり強度はいらない。鎖の材質は金属、高分子樹脂が良いが、金属の鎖以外にも繊維を原料にしたひもでも良い。今まで説明を理解しやすくするために鎖という表現をしたが、袖口や襟の開口度を安定化するための硬さ、強度、伸度、可撓性があればどんな素材でもどんな成形物でも本考案の鎖状のものとしてつかえる。
鎖の素材として貴金属を使うと装飾効果も得ることができる。
【０００８】  ボタンに係合する取り外し可能な留め具には、いろんな選択がある。ボタンの根元に引っかけて係止する性能のものが良い。図１の（１）のごときクエスチョンマークの符号の形のフックはその一例であるが、その他、茄子型鉤フック、引き輪型開閉リング、円形或いは楕円形リング、ナイロンモノフイラメントの組紐の輪などボタンに安定的に係合する機構のものならなんでも良い。
【実施例】
【０００９】  本考案の袖の安定具の一例は、図１に示した。図中（１）の留め具としてのフックは直径１．５ｍｍの真鍮の棒を図１の（１）のクエスチョンマークの形状になるよう、サイズは８ｘ２０ｍｍの範囲の大きさのものに成形した、一方これに連接する図１の（２）の鎖は、太さ０．６ｍｍの１８金の線条を材料にして、短径２ｍｍ、長径３ｍｍのリンク（ＬＩＮＫ）より構成させ、長さ２ｃｍのものを作った。図１の（３）に示したボタン状留め具は、一枚は厚さ１ｍｍ、直径８ｍｍと、もう一枚は厚さ１ｍｍ、直経１５ｍｍの２枚の真鍮の円盤をそれぞれの中心部で直径２ｍｍ長さ１ｍｍの真鍮の軸の両端に平行に並べて接着固定する事によってダブルフランジ型のボタンが得られる。最終的にこれら（１）（２）（３）を連結する事によって本安定具が作られる。【００１０】  使用方法は、図２に示した如く、長袖シャツの袖口ボタンを外し、外されたボタンの根元に、鎖の一端を接合されたフックを引っかけて填める、次いで鎖の反対側に接合されているダブルフランジ型のボタンの小さな直径のフランジをボタンホールの外側からボタンホールに押し込み、もう一方の大きな径のフランジをボタンホール外側に配置させることによりボタンホールに安定的に固定される。これによって開袖状態の左右の袖の開口角は固定される。  なお襟のトップボタン部に応用する場合にも、袖と同様な使用法により開角度を固定する目的を達成できる。
【図面の簡単な説明】
【図１】本考案に関わる安定具の側面をあらわす図
【図２】袖口の安定具として使用した場合の状態図
【図３】襟のトップボタン部に安定具として使用した場合の状態図
【符号の説明】
１        留め具
２        鎖
３        ダブルフランジ型飾りボタン
４        留め具をボタンに填めた状態
５        ダブルフランジ型飾りボタンをボタンホールに留めた状態
【図１】
0003127949.tif 000003
【図２】
0003127949.tif 000004
【図３】
0003127949.tif 000005